(57)【要約】【課題】本発明は保健用のインテリジェント頚椎のマッサージ器を開示した。【解決手段】マッサージ枕を含み、前記マッサージ枕の中にはマッサージチャンバが設置され、前記マッサージチャンバの中には枕パッドが固定的に設置され、前記マッサージチャンバの中には固定ブロックがスライドできるように設置され、前記固定ブロックの中にはスライドチャンバが設置され、前記マッサージチャンバの下側にはスライド溝が連通するように形成されており、本発明は構造が簡単で、操作が便利であり、二つのマッサージ方式を持ち、装置は回転してマッサージする時に移動式でマッサージでき、マッサージ範囲は大きくて、叩き式でマッサージする時、頭部を平板に置いてそれによって頚椎をリラックスさせて頚椎に受けた力を減少し、マッサージの快適さを増加し、また装置は小さくて持ちやすく、使用は便利である。【選択図】図１
2020182808.tif 000002
【特許請求の範囲】
【請求項１】
正面視で、マッサージ枕を含み、
前記マッサージ枕の中にはマッサージチャンバが設置され、前記マッサージチャンバの中には枕パッドが固定的に設置され、前記マッサージチャンバの中には固定ブロックがスライドできるように設置され、前記固定ブロックの中にはスライドチャンバが設置され、
前記マッサージチャンバの下側にはスライド溝が連通するように形成されており、前記スライド溝の下端壁にはラックが固定的に設置され、前記スライド溝の中には上端が前記固定ブロックと固定的に連結された中空状のスライドブロックがスライドできるように設置され、前記スライドブロックの前後端面には固定ロッドが固定的に設置され、
前記マッサージチャンバの外側には揺れ動き切換装置が設置され、前記固定ロッドが前記揺れ動き切換装置と回転できるように連結され、前記スライド溝の下側には推しチャンバが連通するように設置され、前記推しチャンバの中には回転装置が設置され、前記回転装置が前記ラックと噛み合うように連結され、前記回転装置は左右対称のマッサージヘッドを含み、前記推しチャンバの中には推し板がスライドできるように設置され、前記推しチャンバの外側には昇降装置が設置され、前記昇降装置が前記推し板と固定的に連結され、且つ前記推し板を昇降させることができ、前記推しチャンバの右側には駆動切換装置が設置され、前記駆動切換装置が前記昇降装置と動力が伝達できるように連結され、
前記マッサージ枕の後端には凹チャンバが設置され、前記凹チャンバの中には頭部支持装置が設置され、前記頭部支持装置が前記駆動切換装置と当接しており、
前記マッサージヘッドは移動と回転で又は叩き式で頚椎をマッサージすることを特徴とする保健用のインテリジェント頚椎のマッサージ器。
【請求項２】
前記マッサージヘッドの上側面は柔軟な材質であり、マッサージの快適さを高めることを特徴とする請求項１に記載の保健用のインテリジェント頚椎のマッサージ器。
【請求項３】
前記回転装置はスライド筒を含み、
前記スライド筒の上端が前記スライドチャンバの中に伸びており、前記スライド筒には前記スライド筒を復帰させることができる復帰部品が左右対称的に固定的に設置され、
前記スライド筒の中には回転チャンバが設置され、前記回転チャンバの中には上端が前記マッサージチャンバの中に伸びている回転軸が回転できるように設置され、前記回転軸の上端にはコンロッドが固定的に設置され、前記マッサージヘッドが前記コンロッドの上端面に取り付けられ、前記回転軸の下端には第一ベベルギヤが固定的に設置され、前記第一ベベルギヤの後端には第二ベベルギヤが噛み合うように連結され、
前記スライド筒の中には前後対称の貫通溝が形成されており、前記第二ベベルギヤのスピンドルの前端が前記スライドブロックの内端壁と回転できるように連結され、前記スピンドルの後端には平歯車が固定的に設置され、前記平歯車が前記ラックと噛み合っていることを特徴とする請求項１に記載の保健用のインテリジェント頚椎のマッサージ器。
【請求項４】
前記揺れ動き切換装置は前記スライド溝と連通している前後対称の回転溝を含み、
前記回転溝の中には揺れ動きロッドが回転できるように設置され、前後の前記揺れ動きロッドの間が連結軸によって固定的に連結され、前記連結軸が前記駆動切換装置とがベルトによって動力が伝達できるように連結され、
二つの前記回転溝の中には移動溝が形成されており、前記移動溝の中には前記固定ロッドと回転できるように連結された移動ブロックがスライドできるように設置されたことを特徴とする請求項１に記載の保健用のインテリジェント頚椎のマッサージ器。
【請求項５】
前記移動ブロックの鉛直方向の長さは前記移動溝の鉛直方向の長さより大きいことを特徴とする請求項１又は請求項４に記載の保健用のインテリジェント頚椎のマッサージ器。
【請求項６】
前記昇降装置は前記推しチャンバと連通している左右対称の開き溝を含み、
前記開き溝の中には前記推し板と固定的に連結された連結ブロックがスライドできるように設置され、前記連結ブロックの上端と前記開き溝との間には圧縮ばねが固定的に設置され、
前記開き溝の中には固定軸によってカムが回転できるように設置され、前記カムの上端が前記連結ブロックと当接しており、
左右の前記開き溝の間には伝動軸が回転できるように設置され、前記伝動軸と前記固定軸との間がそれぞれタイミングベルトによって動力が伝達できるように連結されたことを特徴とする請求項１に記載の保健用のインテリジェント頚椎のマッサージ器。
【請求項７】
前記カムの長端が後方へ設置され、それによって初期状態の時、前記推し板が前記推しチャンバの下側の極限位置にあり、その後に前記カムが回転して前記推し板を上昇させた後に下降させ、前記マッサージヘッドによって頚椎を揉んでマッサージすることを特徴とする請求項１又は請求項６に記載の保健用のインテリジェント頚椎のマッサージ器。
【請求項８】
前記駆動切換装置は右側の前記開き溝と連通している切換チャンバを含み、
右側の前記固定軸の右端が前記切換チャンバの中に伸びており、また右側の前記固定軸の右端には第三ベベルギヤが固定的に設置され、前記第三ベベルギヤの後端には第四ベベルギヤが前記第三ベベルギヤの後端と噛み合えるように連結され、
前記切換チャンバの中には推しブロックがスライドできるように設置され、前記推しブロックの中には第一モーターが固定的に設置され、前記第一モーターの前端には前記第四ベベルギヤと固定的に連結された動力軸が動力が伝達できるように連結され、前記第一モーターの後端にはスプライン軸が動力が伝達できるように連結され、前記スプライン軸の後端にはプーリがスプラインによって連結され、前記プーリと前記連結軸との間が前記ベルトによって動力が伝達できるように連結され、
前記切換チャンバの下側には連通溝が連通するように形成されており、前記連通溝の中には上端が前記推しブロックと回転できるように連結された回しロッドが回転できるように設置され、前記回しロッドの後端と前記連通溝との間にはトーションばねが固定的に設置され、前記連通溝と前記凹チャンバとの間には圧縮溝が連通するように形成されており、前記圧縮溝の中には前端が前記回しロッドと回転できるように連結された圧力かけロッドがスライドできるように設置され、前記圧力かけロッドの右端が前記凹チャンバの中に伸びており、且つ前記頭部支持装置と当接しており、前記圧力かけロッドの下端面には前記圧力かけロッドを復帰させることができる復帰セットが固定的に設置されたことを特徴とする請求項１に記載の保健用のインテリジェント頚椎のマッサージ器。
【請求項９】
前記頭部支持装置は前記凹チャンバの中に回転できるように設置された回転板を含み、
前記回転板が前記圧力かけロッドの右端と当接しており、前記回転板の後端には凹溝が形成されており、前記凹溝の中には平板が回転できるように設置され、前記平板と前記凹溝との間には回転ばねが固定的に設置され、前記凹溝の前側にはガイド溝が形成されており、
前記ガイド溝の中にはガイドブロックがスライドできるように設置され、前記ガイドブロックには推しロッドが回転できるように設置され、前記凹チャンバの前端壁の中には推し溝が連通するように形成されており、前記推しロッドの前端が前記推し溝の中に伸びており、また前記推しロッドの前端には親ねじがねじ山によって連結され、前記推し溝前端壁には第二モーターが固定的に設置され、前記親ねじの前端が前記第二モーターと動力が伝達できるように連結されたことを特徴とする請求項１に記載の保健用のインテリジェント頚椎のマッサージ器。
【発明の詳細な説明】
【技術分野】
【０００１】
本発明は保健用品技術分野に関わり、具体的には保健用のインテリジェント頚椎のマッサージ器である。
【背景技術】
【０００２】
既存の頚椎のマッサージ器の形は多種多様であり、首掛け式マッサージ器は小さくて持ちやすく、しかし、マッサージをする過程には頚椎のへの圧力が増加し、枕型マッサージ器の指圧点は固定的であるため、全面的なマッサージをできなく、また外形が大きく、持つことは不便である。本発明は上記の問題を解決できる装置を開示する。
【先行技術文献】
【特許文献】
【０００３】
【特許文献１】中国特許出願公開第１０９１０６５７５号明細書
【発明の概要】
【発明が解決しようとする課題】
【０００４】
本発明は保健用のインテリジェント頚椎のマッサージ器を提供し、既存技術にある上記の欠点を解消することを目的とする。
【課題を解決するための手段】
【０００５】
本発明の実施例の保健用のインテリジェント頚椎のマッサージ器は、マッサージ枕を含み、前記マッサージ枕の中にはマッサージチャンバが設置され、前記マッサージチャンバの中には枕パッドが固定的に設置され、前記マッサージチャンバの中には固定ブロックがスライドできるように設置され、前記固定ブロックの中にはスライドチャンバが設置され、前記マッサージチャンバの下側にはスライド溝が連通するように形成されており、前記スライド溝の下端壁にはラックが固定的に設置され、前記スライド溝の中には上端が前記固定ブロックと固定的に連結された中空状のスライドブロックがスライドできるように設置され、前記スライドブロックの前後端面には固定ロッドが固定的に設置され、前記マッサージチャンバの外側には揺れ動き切換装置が設置され、前記固定ロッドが前記揺れ動き切換装置と回転できるように連結され、前記スライド溝の下側には推しチャンバが連通するように設置され、前記推しチャンバの中には回転装置が設置され、前記回転装置が前記ラックと噛み合うように連結され、前記回転装置は左右対称のマッサージヘッドを含み、前記推しチャンバの中には推し板がスライドできるように設置され、前記推しチャンバの外側には昇降装置が設置され、前記昇降装置が前記推し板と固定的に連結され、且つ前記推し板を昇降させることができ、前記推しチャンバの右側には駆動切換装置が設置され、前記駆動切換装置が前記昇降装置と動力が伝達できるように連結され、前記マッサージ枕の後端には凹チャンバが設置され、前記凹チャンバの中には頭部支持装置が設置され、前記頭部支持装置が前記駆動切換装置と当接しており、前記マッサージヘッドは移動と回転で又は叩き式で頚椎をマッサージする。
【０００６】
さらなる技術プランには、前記マッサージヘッドの上側面は柔軟な材質であり、マッサージの快適さを高める。
【０００７】
さらなる技術プランには、前記揺れ動き切換装置は前記スライド溝と連通している前後対称の回転溝を含み、前記回転溝の中には揺れ動きロッドが回転できるように設置され、前後の前記揺れ動きロッドの間が連結軸によって固定的に連結され、前記連結軸が前記駆動切換装置とがベルトによって動力が伝達できるように連結され、二つの前記回転溝の中には移動溝が形成されており、前記移動溝の中には前記固定ロッドと回転できるように連結された移動ブロックがスライドできるように設置され、前記揺れ動きロッドの回転によって前記マッサージヘッドがスライドし、且つ回転してマッサージする。
【０００８】
さらなる技術プランには、前記移動ブロックの鉛直方向の長さは前記移動溝の鉛直方向の長さより大きい。
【０００９】
さらなる技術プランには、前記回転装置はスライド筒を含み、前記スライド筒の上端が前記スライドチャンバの中に伸びており、前記スライド筒には前記スライド筒を復帰させることができる復帰部品が左右対称的に固定的に設置され、前記スライド筒の中には回転チャンバが設置され、前記回転チャンバの中には上端が前記マッサージチャンバの中に伸びている回転軸が回転できるように設置され、前記回転軸の上端にはコンロッドが固定的に設置され、前記マッサージヘッドが前記コンロッドの上端面に取り付けられ、前記回転軸の下端には第一ベベルギヤが固定的に設置され、前記第一ベベルギヤの後端には第二ベベルギヤが噛み合うように連結され、前記スライド筒の中には前後対称の貫通溝が形成されており、前記第二ベベルギヤのスピンドルの前端が前記スライドブロックの内端壁と回転できるように連結され、前記スピンドルの後端には平歯車が固定的に設置され、前記平歯車が前記ラックと噛み合っており、前記スライドブロックが揺れ動き、前記ラックの作用の下で前記平歯車が回転し、前記マッサージヘッドに動力を伝達して前記マッサージヘッドを回転させる。
【００１０】
さらなる技術プランには、前記昇降装置は前記推しチャンバと連通している左右対称の開き溝を含み、前記開き溝の中には前記推し板と固定的に連結された連結ブロックがスライドできるように設置され、前記連結ブロックの上端と前記開き溝との間には圧縮ばねが固定的に設置され、前記開き溝の中には固定軸によってカムが回転できるように設置され、前記カムの上端が前記連結ブロックと当接しており、左右の前記開き溝の間には伝動軸が回転できるように設置され、前記伝動軸と前記固定軸との間がそれぞれタイミングベルトによって動力が伝達できるように連結され、前記カムが回転して前記連結ブロックを推し動かして昇降を繰り返して運動する。
【００１１】
さらなる技術プランには、前記カムの長端が後方へ設置され、それによって初期状態の時、前記推し板が前記推しチャンバの下側の極限位置にあり、その後に前記カムが回転して前記推し板を上昇させた後に下降させ、前記マッサージヘッドによって頚椎を揉んでマッサージする。
【００１２】
さらなる技術プランには、前記駆動切換装置は右側の前記開き溝と連通している切換チャンバを含み、右側の前記固定軸の右端が前記切換チャンバの中に伸びており、また右側の前記固定軸の右端には第三ベベルギヤが固定的に設置され、前記第三ベベルギヤの後端には第四ベベルギヤが前記第三ベベルギヤの後端と噛み合えるように連結され、前記切換チャンバの中には推しブロックがスライドできるように設置され、前記推しブロックの中には第一モーターが固定的に設置され、前記第一モーターの前端には前記第四ベベルギヤと固定的に連結された動力軸が動力が伝達できるように連結され、前記第一モーターの後端にはスプライン軸が動力が伝達できるように連結され、前記スプライン軸の後端にはプーリがスプラインによって連結され、前記プーリと前記連結軸との間が前記ベルトによって動力が伝達できるように連結され、前記切換チャンバの下側には連通溝が連通するように形成されており、前記連通溝の中には上端が前記推しブロックと回転できるように連結された回しロッドが回転できるように設置され、前記回しロッドの後端と前記連通溝との間にはトーションばねが固定的に設置され、前記連通溝と前記凹チャンバとの間には圧縮溝が連通するように形成されており、前記圧縮溝の中には前端が前記回しロッドと回転できるように連結された圧力かけロッドがスライドできるように設置され、前記圧力かけロッドの右端が前記凹チャンバの中に伸びており、且つ前記頭部支持装置と当接しており、前記圧力かけロッドの下端面には前記圧力かけロッドを復帰させることができる復帰セットが固定的に設置され、前記圧力かけロッドが移動することによって前記第一モーターが前記揺れ動き切換装置と前記昇降装置とを駆動してそれぞれ作動させる。
【００１３】
さらなる技術プランには、前記頭部支持装置は前記凹チャンバの中に回転できるように設置された回転板を含み、前記回転板が前記圧力かけロッドの右端と当接しており、前記回転板の後端には凹溝が形成されており、前記凹溝の中には平板が回転できるように設置され、前記平板と前記凹溝との間には回転ばねが固定的に設置され、前記凹溝の前側にはガイド溝が形成されており、前記ガイド溝の中にはガイドブロックがスライドできるように設置され、前記ガイドブロックには推しロッドが回転できるように設置され、前記凹チャンバの前端壁の中には推し溝が連通するように形成されており、前記推しロッドの前端が前記推し溝の中に伸びており、また前記推しロッドの前端には親ねじがねじ山によって連結され、前記推し溝前端壁には第二モーターが固定的に設置され、前記親ねじの前端が前記第二モーターと動力が伝達できるように連結された。
【発明の効果】
【００１４】
本発明の有益な効果は：本発明は構造が簡単で、操作が便利であり、二つのマッサージ方式を持ち、装置は回転してマッサージする時に移動式でマッサージでき、マッサージ範囲は大きくて、叩き式でマッサージする時、頭部を平板に置いてそれによって頚椎をリラックスさせて頚椎に受けた力を減少し、マッサージの快適さを増加し、また装置は小さくて持ちやすく、使用は便利である。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の保健用のインテリジェント頚椎のマッサージ器の内部全体構造略図
【図２】図２は本発明の中の図１の中の「Ａ」方向の構造略図
【図３】図３は本発明の中の図１の中の「Ｂ―Ｂ」の拡大構造略図
【図４】図４は本発明の中の図１の中の「Ｃ―Ｃ」の拡大構造略図
【図５】図５は本発明の中の図４の中の「Ｄ―Ｄ」方向の構造略図
【図６】図６は本発明の中の図５の中の「Ｅ―Ｅ」方向の構造略図
【発明を実施するための形態】
【００１７】
図１〜６を参照し、本発明の実施例の保健用のインテリジェント頚椎のマッサージ器は、マッサージ枕１０を含み、前記マッサージ枕１０の中にはマッサージチャンバ１１が設置され、前記マッサージチャンバ１１の中には枕パッド１２が固定的に設置され、前記マッサージチャンバ１１の中には固定ブロック１３がスライドできるように設置され、前記固定ブロック１３の中にはスライドチャンバ１４が設置され、前記マッサージチャンバ１１の下側にはスライド溝１８が連通するように形成されており、前記スライド溝１８の下端壁にはラック２０が固定的に設置され、前記スライド溝１８の中には上端が前記固定ブロック１３と固定的に連結された中空状のスライドブロック１９がスライドできるように設置され、前記スライドブロック１９の前後端面には固定ロッド２９が固定的に設置され、前記マッサージチャンバ１１の外側には揺れ動き切換装置９０１が設置され、前記固定ロッド２９が前記揺れ動き切換装置９０１と回転できるように連結され、前記スライド溝１８の下側には推しチャンバ６９が連通するように設置され、前記推しチャンバ６９の中には回転装置９０２が設置され、前記回転装置９０２が前記ラック２０と噛み合うように連結され、前記回転装置９０２は左右対称のマッサージヘッド１７を含み、前記推しチャンバ６９の中には推し板３６がスライドできるように設置され、前記推しチャンバ６９の外側には昇降装置９０３が設置され、前記昇降装置９０３が前記推し板３６と固定的に連結され、且つ前記推し板３６を昇降させることができ、前記推しチャンバ６９の右側には駆動切換装置９０４が設置され、前記駆動切換装置９０４が前記昇降装置９０３と動力が伝達できるように連結され、前記マッサージ枕１０の後端には凹チャンバ５８が設置され、前記凹チャンバ５８の中には頭部支持装置９０５が設置され、前記頭部支持装置９０５が前記駆動切換装置９０４と当接しており、前記マッサージヘッド１７は移動と回転で又は叩き式で頚椎をマッサージする。
【００１８】
有益なように、前記マッサージヘッド１７の上側面は柔軟な材質であり、マッサージの快適さを高める。
【００１９】
有益なように、前記揺れ動き切換装置９０１は前記スライド溝１８と連通している前後対称の回転溝３０を含み、前記回転溝３０の中には揺れ動きロッド３１が回転できるように設置され、前後の前記揺れ動きロッド３１の間が連結軸３３によって固定的に連結され、前記連結軸３３が前記駆動切換装置９０４とがベルト３４によって動力が伝達できるように連結され、二つの前記回転溝３０の中には移動溝３２が形成されており、前記移動溝３２の中には前記固定ロッド２９と回転できるように連結された移動ブロック３５がスライドできるように設置され、前記揺れ動きロッド３１の回転によって前記マッサージヘッド１７がスライドし、且つ回転してマッサージする。
【００２０】
有益なように、前記移動ブロック３５の鉛直方向の長さは前記移動溝３２の鉛直方向の長さより大きく、それによって前記移動ブロック３５が前記移動溝３２の中でスライドでき、しかも前記移動ブロック３５がスライドして前記移動溝３２を出ることはしない。
【００２１】
有益なように、前記回転装置９０２はスライド筒２１を含み、前記スライド筒２１の上端が前記スライドチャンバ１４の中に伸びており、前記スライド筒２１には前記スライド筒２１を復帰させることができる復帰部品２２が左右対称的に固定的に設置され、前記スライド筒２１の中には回転チャンバ２３が設置され、前記回転チャンバ２３の中には上端が前記マッサージチャンバ１１の中に伸びている回転軸１５が回転できるように設置され、前記回転軸１５の上端にはコンロッド１６が固定的に設置され、前記マッサージヘッド１７が前記コンロッド１６の上端面に取り付けられ、前記回転軸１５の下端には第一ベベルギヤ２４が固定的に設置され、前記第一ベベルギヤ２４の後端には第二ベベルギヤ２５が噛み合うように連結され、前記スライド筒２１の中には前後対称の貫通溝２７が形成されており、前記第二ベベルギヤ２５のスピンドル２６の前端が前記スライドブロック１９の内端壁と回転できるように連結され、前記スピンドル２６の後端には平歯車２８が固定的に設置され、前記平歯車２８が前記ラック２０と噛み合っており、前記スライドブロック１９が揺れ動き、前記ラック２０の作用の下で前記平歯車２８が回転し、前記マッサージヘッド１７に動力を伝達して前記マッサージヘッド１７を回転させる。
【００２２】
有益なように、前記昇降装置９０３は前記推しチャンバ６９と連通している左右対称の開き溝３７を含み、前記開き溝３７の中には前記推し板３６と固定的に連結された連結ブロック３８がスライドできるように設置され、前記連結ブロック３８の上端と前記開き溝３７との間には圧縮ばね３９が固定的に設置され、前記開き溝３７の中には固定軸４１によってカム４０が回転できるように設置され、前記カム４０の上端が前記連結ブロック３８と当接しており、左右の前記開き溝３７の間には伝動軸４３が回転できるように設置され、前記伝動軸４３と前記固定軸４１との間がそれぞれタイミングベルト４２によって動力が伝達できるように連結され、前記カム４０が回転して前記連結ブロック３８を推し動かして昇降を繰り返して運動する。
【００２３】
有益なように、前記カム４０の長端が後方へ設置され、それによって初期状態の時、前記推し板３６が前記推しチャンバ６９の下側の極限位置にあり、その後に前記カム４０が回転して前記推し板３６を上昇させた後に下降させ、前記マッサージヘッド１７によって頚椎を揉んでマッサージする。
【００２４】
有益なように、前記駆動切換装置９０４は右側の前記開き溝３７と連通している切換チャンバ４４を含み、右側の前記固定軸４１の右端が前記切換チャンバ４４の中に伸びており、また右側の前記固定軸４１の右端には第三ベベルギヤ４５が固定的に設置され、前記第三ベベルギヤ４５の後端には第四ベベルギヤ４６が前記第三ベベルギヤ４５の後端と噛み合えるように連結され、前記切換チャンバ４４の中には推しブロック４７がスライドできるように設置され、前記推しブロック４７の中には第一モーター４８が固定的に設置され、前記第一モーター４８の前端には前記第四ベベルギヤ４６と固定的に連結された動力軸４９が動力が伝達できるように連結され、前記第一モーター４８の後端にはスプライン軸５０が動力が伝達できるように連結され、前記スプライン軸５０の後端にはプーリ５１がスプラインによって連結され、前記プーリ５１と前記連結軸３３との間が前記ベルト３４によって動力が伝達できるように連結され、前記切換チャンバ４４の下側には連通溝５２が連通するように形成されており、前記連通溝５２の中には上端が前記推しブロック４７と回転できるように連結された回しロッド５３が回転できるように設置され、前記回しロッド５３の後端と前記連通溝５２との間にはトーションばね５４が固定的に設置され、前記連通溝５２と前記凹チャンバ５８との間には圧縮溝５７が連通するように形成されており、前記圧縮溝５７の中には前端が前記回しロッド５３と回転できるように連結された圧力かけロッド５５がスライドできるように設置され、前記圧力かけロッド５５の右端が前記凹チャンバ５８の中に伸びており、且つ前記頭部支持装置９０５と当接しており、前記圧力かけロッド５５の下端面には前記圧力かけロッド５５を復帰させることができる復帰セット５６が固定的に設置され、前記圧力かけロッド５５が移動することによって前記第一モーター４８が前記揺れ動き切換装置９０１と前記昇降装置９０３とを駆動してそれぞれ作動させる。
【００２５】
有益なように、前記頭部支持装置９０５は前記凹チャンバ５８の中に回転できるように設置された回転板５９を含み、前記回転板５９が前記圧力かけロッド５５の右端と当接しており、前記回転板５９の後端には凹溝６０が形成されており、前記凹溝６０の中には平板６１が回転できるように設置され、前記平板６１と前記凹溝６０との間には回転ばね６２が固定的に設置され、前記凹溝６０の前側にはガイド溝６３が形成されており、前記ガイド溝６３の中にはガイドブロック６４がスライドできるように設置され、前記ガイドブロック６４には推しロッド６５が回転できるように設置され、前記凹チャンバ５８の前端壁の中には推し溝６６が連通するように形成されており、前記推しロッド６５の前端が前記推し溝６６の中に伸びており、また前記推しロッド６５の前端には親ねじ６７がねじ山によって連結され、前記推し溝６６前端壁には第二モーター６８が固定的に設置され、前記親ねじ６７の前端が前記第二モーター６８と動力が伝達できるように連結された。
【００２６】
以下、図１〜６をあわせて本出願の保健用のインテリジェント頚椎のマッサージ器の使用ステップについて詳しく説明する：
【００２７】
初期状態の時、スプライン軸５０がプーリ５１とスプラインによって連結され、第四ベベルギヤ４６が第三ベベルギヤ４５と噛み合っていなく、回転板５９が凹チャンバ５８の中に位置しており、復帰セット５６と回転ばね６２とが圧縮状態にある。
【００２８】
マッサージする時、頸部を枕パッド１２に置き、第一モーター４８が作動し、プーリ５１を駆動して回転させ、ベルト３４によって揺れ動きロッド３１が回転し、それによって移動ブロック３５がスライドブロック１９を連動させてスライド溝１８に沿ってスライドさせ、ラック２０の作用の下で平歯車２８が回転し、それによって第二ベベルギヤ２５が第一ベベルギヤ２４を回転連動させ、それによって回転軸１５が回転し、マッサージヘッド１７が回転して頚椎に移動式でマッサージをし、それによってマッサージ範囲は大きくなり、頚椎を叩き式でマッサージする時、第二モーター６８が作動し、親ねじ６７を駆動して回転させ、それによって推しロッド６５が後方へ移動して回転板５９を推し動かして外部空間に回転させ、それによって平板６１は回転ばね６２の作用の下で反時計回り方向（右側面から見る）に回転して水平に置かれる状態を呈し、頭部を平板６１に置き、それによって頚椎に受けた力が減少し、この時に、圧力かけロッド５５が復帰セット５６の作用の下で後方へ移動し、それによって回しロッド５３が反時計回り方向（右側面から見る）に回転し、それによって推しブロック４７が前方へ移動し、第四ベベルギヤ４６が第三ベベルギヤ４５と噛み合い、それによって第一モーター４８が第三ベベルギヤ４５を駆動して回転させ、伝動軸４３とタイミングベルト４２との伝動によって左右のカム４０が同期に回転し、それによって連結ブロック３８が昇降を繰り返して推し板３６を昇降連動させ、スライド筒２１を推し動かして昇降させ、それによってマッサージヘッド１７はスライド筒２１と共に昇降して頚椎を叩いてマッサージする。
【００２９】
マッサージが終わった時、第二モーター６８が反転し、それによって推しロッド６５が回転板５９を前方へ回転連動させ、また回転板５９が凹チャンバ５８の中に位置しており、装置は初期状態に戻る。
【００３０】
本発明の有益な効果は：本発明は構造が簡単で、操作が便利であり、二つのマッサージ方式を持ち、装置は回転してマッサージする時に移動式でマッサージでき、マッサージ範囲は大きくて、叩き式でマッサージする時、頭部を平板に置いてそれによって頚椎をリラックスさせて頚椎に受けた力を減少し、マッサージの快適さを増加し、また装置は小さくて持ちやすく、使用は便利である。
【００３１】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020182808.tif 000003
【図２】
2020182808.tif 000004
【図３】
2020182808.tif 000005
【図４】
2020182808.tif 000006
【図５】
2020182808.tif 000007
【図６】
2020182808.tif 000008
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
正面視で上面に枕パッドを有する保健用のインテリジェント頚椎のマッサージ器であって、マッサージ枕を含み、
前記マッサージ枕の中にはマッサージチャンバが設置され、前記マッサージチャンバの中には枕パッドが固定的に設置され、前記マッサージチャンバの中には前記枕パッドの下側に位置する固体ブロックがスライドできるように設置され、前記固体ブロックの中にはスライドチャンバが設置され、
前記マッサージチャンバの下側にはスライド溝が連通するように形成されており、前記スライド溝の下端壁にはラックが固定的に設置され、前記スライド溝の中には上端が前記固体ブロックと固定的に連結された中空状のスライドブロックがスライドできるように設置され、前記スライドブロックの前後端面には固定ロッドが固定的に設置され、
前記マッサージチャンバの外側には揺れ動き切換装置が設置され、前記固定ロッドが前記揺れ動き切換装置と回転できるように連結され、前記スライド溝の下側には押しチャンバが連通するように設置され、前記押しチャンバの中には回転装置が設置され、前記回転装置が前記ラックと噛み合うように連結され、前記回転装置は左右対称になるように設置された二つのマッサージヘッドを含み、前記押しチャンバの中には押し板がスライドできるように設置され、前記押しチャンバの外側には昇降装置が設置され、前記昇降装置が前記押し板と固定的に連結され、且つ前記押し板を昇降させることができ、前記押しチャンバの右側には駆動切換装置が設置され、前記駆動切換装置が前記昇降装置と動力が伝達できるように連結され、
前記マッサージ枕の後端には凹チャンバが設置され、前記凹チャンバの中には頭部支持装置が設置され、前記頭部支持装置が前記駆動切換装置と当接しており、
前記マッサージヘッドの上面は柔軟な材質であり、マッサージの快適さを高め、
前記回転装置はスライド筒を含み、
前記スライド筒の上端が前記スライドチャンバの中に伸びており、前記スライド筒には前記スライド筒を復帰させることができる二つの復帰部品が左右対称になるように固定的に設置され、
前記スライド筒の中には回転チャンバが設置され、前記回転チャンバの中には上端が前記マッサージチャンバの中に伸びている回転軸が回転できるように設置され、前記回転軸の上端にはコンロッドが固定的に設置され、前記マッサージヘッドが前記コンロッドの上端面に取り付けられ、前記回転軸の下端には第一ベベルギヤが固定的に設置され、前記第一ベベルギヤの後端には第二ベベルギヤが噛み合うように連結され、
前記スライド筒の中には前記回転チャンバと連通し且つ前記回転チャンバを中心に前後対称になるように形成された貫通溝が形成されており、前記第二ベベルギヤのスピンドルの前端は前記スライドブロックの内壁と連結され、且つ前記第二ベベルギヤが前記スライドブロックに対して回転でき、前記スピンドルの後端には平歯車が固定的に設置され、前記平歯車が前記ラックと噛み合い、
前記揺れ動き切換装置は前記スライド溝と連通している前後対称の回転溝を含み、
前記回転溝の中には揺れ動きロッドが回転できるように設置され、前後の前記揺れ動きロッドが連結軸によって固定的に連結され、前記連結軸が前記駆動切換装置とがベルトによって動力が伝達できるように連結され、
二つの前記回転溝の中には移動溝が形成されており、前記移動溝の中には前記固定ロッドと回転できるように連結された移動ブロックがスライドできるように設置され、
前記移動ブロックの鉛直方向の長さは前記移動溝の鉛直方向の長さより大きく、
前記昇降装置は前記押しチャンバと連通している左右対称の開き溝を含み、
前記開き溝の中には前記押し板と固定的に連結された連結ブロックがスライドできるように設置され、前記連結ブロックの上端と前記開き溝との間には圧縮ばねが固定的に設置され、
前記開き溝の中には固定軸が回転できるように設置され、且つ前記固定軸にはカムが固定的に設置され、前記カムの上端が前記連結ブロックと当接しており、
左右の前記開き溝の間には伝動軸が回転できるように設置され、前記伝動軸と前記固定軸との間がそれぞれタイミングベルトによって動力が伝達できるように連結され、
前記カムの長端が後方へ設置され、それによって初期状態の時、前記押し板が前記押しチャンバの下側の極限位置にあり、その後に前記カムが回転して前記押し板を上昇させた後に下降させ、前記マッサージヘッドによって頚椎を揉んでマッサージし、
前記駆動切換装置は右側の前記開き溝と連通している切換チャンバを含み、
右側の前記固定軸の右端が前記切換チャンバの中に伸びており、また右側の前記固定軸の右端には第三ベベルギヤが固定的に設置され、前記第三ベベルギヤの後端には第四ベベルギヤが前記第三ベベルギヤの後端と噛み合えるように連結され、
前記切換チャンバの中には押しブロックがスライドできるように設置され、前記押しブロックの中には第一モーターが固定的に設置され、前記第一モーターの前端には前記第四ベベルギヤと固定的に連結された動力軸が動力が伝達できるように連結され、前記第一モーターの後端にはスプライン軸が動力が伝達できるように連結され、前記スプライン軸の後端にはプーリがスプラインによって連結され、前記プーリと前記連結軸との間が前記ベルトによって動力が伝達できるように連結され、
前記切換チャンバの下側には連通溝が連通するように形成されており、前記連通溝の中には上端が前記押しブロックと回転できるように連結された回しロッドが回転できるように設置され、前記回しロッドの後端と前記連通溝との間にはトーションばねが固定的に設置され、前記連通溝と前記凹チャンバとの間には圧縮溝が連通するように形成されており、前記圧縮溝の中には前端が前記回しロッドと回転できるように連結された圧力かけロッドがスライドできるように設置され、前記圧力かけロッドの右端が前記凹チャンバの中に伸びており、且つ前記頭部支持装置と当接しており、前記圧力かけロッドの下端面には前記圧力かけロッドを復帰させることができる復帰セットが固定的に設置され、
前記頭部支持装置は前記凹チャンバの中に回転できるように設置された回転板を含み、
前記回転板が前記圧力かけロッドの右端と当接しており、前記回転板の後端には凹溝が形成されており、前記凹溝の中には平板が回転できるように設置され、前記平板と前記凹溝との間には回転ばねが固定的に設置され、前記凹溝の前側にはガイド溝が形成されており、
前記ガイド溝の中にはガイドブロックがスライドできるように設置され、前記ガイドブロックには押しロッドが回転できるように設置され、前記凹チャンバの前端壁の中には押し溝が連通するように形成されており、前記押しロッドの前端が前記押し溝の中に伸びており、また前記押しロッドの前端には親ねじがねじ山によって連結され、前記押し溝前端壁には第二モーターが固定的に設置され、前記親ねじの前端が前記第二モーターと動力が伝達できるように連結されたことを特徴とする請求項１に記載の保健用のインテリジェント頚椎のマッサージ器。
【手続補正２】
【補正対象書類名】明細書
【補正対象項目名】全文
【補正方法】変更
【補正の内容】
【発明の詳細な説明】
【技術分野】
【０００１】
本発明は保健用品技術分野に関わり、具体的には保健用のインテリジェント頚椎のマッサージ器である。
【背景技術】
【０００２】
既存の頚椎のマッサージ器の形は多種多様であり、首掛け式マッサージ器は小さくて持ちやすく、しかし、マッサージをする過程には頚椎のへの圧力が増加し、枕型マッサージ器の指圧点は固定的であるため、全面的なマッサージをできなく、また外形が大きく、持つことは不便である。本発明は上記の問題を解決できる装置を開示する。
【先行技術文献】
【特許文献】
【０００３】
【特許文献１】中国特許出願公開第１０９１０６５７５号明細書
【発明の概要】
【発明が解決しようとする課題】
【０００４】
本発明は保健用のインテリジェント頚椎のマッサージ器を提供し、既存技術にある上記の欠点を解消することを目的とする。
【課題を解決するための手段】
【０００５】
本発明の実施例の保健用のインテリジェント頚椎のマッサージ器は、マッサージ枕を含み、前記マッサージ枕の中にはマッサージチャンバが設置され、前記マッサージチャンバの中には枕パッドが固定的に設置され、前記マッサージチャンバの中には前記枕パッドの下側に位置する固体ブロックがスライドできるように設置され、前記固体ブロックの中にはスライドチャンバが設置され、前記マッサージチャンバの下側にはスライド溝が連通するように形成されており、前記スライド溝の下端壁にはラックが固定的に設置され、前記スライド溝の中には上端が前記固体ブロックと固定的に連結された中空状のスライドブロックがスライドできるように設置され、前記スライドブロックの前後端面には固定ロッドが固定的に設置され、前記マッサージチャンバの外側には揺れ動き切換装置が設置され、前記固定ロッドが前記揺れ動き切換装置と回転できるように連結され、前記スライド溝の下側には押しチャンバが連通するように設置され、前記押しチャンバの中には回転装置が設置され、前記回転装置が前記ラックと噛み合うように連結され、前記回転装置は左右対称になるように設置された二つのマッサージヘッドを含み、前記押しチャンバの中には押し板がスライドできるように設置され、前記押しチャンバの外側には昇降装置が設置され、前記昇降装置が前記押し板と固定的に連結され、且つ前記押し板を昇降させることができ、前記押しチャンバの右側には駆動切換装置が設置され、前記駆動切換装置が前記昇降装置と動力が伝達できるように連結され、前記マッサージ枕の後端には凹チャンバが設置され、前記凹チャンバの中には頭部支持装置が設置され、前記頭部支持装置が前記駆動切換装置と当接している。
【０００６】
さらなる技術プランには、前記マッサージヘッドの上面は柔軟な材質であり、マッサージの快適さを高める。
【０００７】
さらなる技術プランには、前記揺れ動き切換装置は前記スライド溝と連通している前後対称の回転溝を含み、前記回転溝の中には揺れ動きロッドが回転できるように設置され、前後の前記揺れ動きロッドが連結軸によって固定的に連結され、前記連結軸が前記駆動切換装置とがベルトによって動力が伝達できるように連結され、二つの前記回転溝の中には移動溝が形成されており、前記移動溝の中には前記固定ロッドと回転できるように連結された移動ブロックがスライドできるように設置され、前記揺れ動きロッドの回転によって前記マッサージヘッドがスライドし、且つ回転してマッサージする。
【０００８】
さらなる技術プランには、前記移動ブロックの鉛直方向の長さは前記移動溝の鉛直方向の長さより大きい。
【０００９】
さらなる技術プランには、前記回転装置はスライド筒を含み、前記スライド筒の上端が前記スライドチャンバの中に伸びており、前記スライド筒には前記スライド筒を復帰させることができる二つの復帰部品が左右対称になるように固定的に設置され、前記スライド筒の中には回転チャンバが設置され、前記回転チャンバの中には上端が前記マッサージチャンバの中に伸びている回転軸が回転できるように設置され、前記回転軸の上端にはコンロッドが固定的に設置され、前記マッサージヘッドが前記コンロッドの上端面に取り付けられ、前記回転軸の下端には第一ベベルギヤが固定的に設置され、前記第一ベベルギヤの後端には第二ベベルギヤが噛み合うように連結され、前記スライド筒の中には前記回転チャンバと連通し且つ前記回転チャンバを中心に前後対称になるように形成された貫通溝が形成されており、前記第二ベベルギヤのスピンドルの前端は前記スライドブロックの内壁と連結され、且つ前記第二ベベルギヤが前記スライドブロックに対して回転でき、前記スピンドルの後端には平歯車が固定的に設置され、前記平歯車が前記ラックと噛み合っており、前記スライドブロックが揺れ動き、前記ラックの作用の下で前記平歯車が回転し、前記マッサージヘッドに動力を伝達して前記マッサージヘッドを回転させる。
【００１０】
さらなる技術プランには、前記昇降装置は前記押しチャンバと連通している左右対称の開き溝を含み、前記開き溝の中には前記押し板と固定的に連結された連結ブロックがスライドできるように設置され、前記連結ブロックの上端と前記開き溝との間には圧縮ばねが固定的に設置され、前記開き溝の中には固定軸が回転できるように設置され、且つ前記固定軸にはカムが固定的に設置され、前記カムの上端が前記連結ブロックと当接しており、左右の前記開き溝の間には伝動軸が回転できるように設置され、前記伝動軸と前記固定軸との間がそれぞれタイミングベルトによって動力が伝達できるように連結され、前記カムが回転して前記連結ブロックを押し動かして昇降を繰り返して運動する。
【００１１】
さらなる技術プランには、前記カムの長端が後方へ設置され、それによって初期状態の時、前記押し板が前記押しチャンバの下側の極限位置にあり、その後に前記カムが回転して前記押し板を上昇させた後に下降させ、前記マッサージヘッドによって頚椎を揉んでマッサージする。
【００１２】
さらなる技術プランには、前記駆動切換装置は右側の前記開き溝と連通している切換チャンバを含み、右側の前記固定軸の右端が前記切換チャンバの中に伸びており、また右側の前記固定軸の右端には第三ベベルギヤが固定的に設置され、前記第三ベベルギヤの後端には第四ベベルギヤが前記第三ベベルギヤの後端と噛み合えるように連結され、前記切換チャンバの中には押しブロックがスライドできるように設置され、前記押しブロックの中には第一モーターが固定的に設置され、前記第一モーターの前端には前記第四ベベルギヤと固定的に連結された動力軸が動力が伝達できるように連結され、前記第一モーターの後端にはスプライン軸が動力が伝達できるように連結され、前記スプライン軸の後端にはプーリがスプラインによって連結され、前記プーリと前記連結軸との間が前記ベルトによって動力が伝達できるように連結され、前記切換チャンバの下側には連通溝が連通するように形成されており、前記連通溝の中には上端が前記押しブロックと回転できるように連結された回しロッドが回転できるように設置され、前記回しロッドの後端と前記連通溝との間にはトーションばねが固定的に設置され、前記連通溝と前記凹チャンバとの間には圧縮溝が連通するように形成されており、前記圧縮溝の中には前端が前記回しロッドと回転できるように連結された圧力かけロッドがスライドできるように設置され、前記圧力かけロッドの右端が前記凹チャンバの中に伸びており、且つ前記頭部支持装置と当接しており、前記圧力かけロッドの下端面には前記圧力かけロッドを復帰させることができる復帰セットが固定的に設置され、前記圧力かけロッドが移動することによって前記第一モーターが前記揺れ動き切換装置と前記昇降装置とを駆動してそれぞれ作動させる。
【００１３】
さらなる技術プランには、前記頭部支持装置は前記凹チャンバの中に回転できるように設置された回転板を含み、前記回転板が前記圧力かけロッドの右端と当接しており、前記回転板の後端には凹溝が形成されており、前記凹溝の中には平板が回転できるように設置され、前記平板と前記凹溝との間には回転ばねが固定的に設置され、前記凹溝の前側にはガイド溝が形成されており、前記ガイド溝の中にはガイドブロックがスライドできるように設置され、前記ガイドブロックには押しロッドが回転できるように設置され、前記凹チャンバの前端壁の中には押し溝が連通するように形成されており、前記押しロッドの前端が前記押し溝の中に伸びており、また前記押しロッドの前端には親ねじがねじ山によって連結され、前記押し溝前端壁には第二モーターが固定的に設置され、前記親ねじの前端が前記第二モーターと動力が伝達できるように連結された。
【発明の効果】
【００１４】
本発明の有益な効果は：本発明は構造が簡単で、操作が便利であり、二つのマッサージ方式を持ち、装置は回転してマッサージする時に移動式でマッサージでき、マッサージ範囲は大きくて、叩き式でマッサージする時、頭部を平板に置いてそれによって頚椎をリラックスさせて頚椎に受けた力を減少し、マッサージの快適さを増加し、また装置は小さくて持ちやすく、使用は便利である。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の保健用のインテリジェント頚椎のマッサージ器の内部全体構造略図
【図２】図２は本発明の中の図１の中の「Ａ」方向の構造略図
【図３】図３は本発明の中の図１の中の「Ｂ―Ｂ」の拡大構造略図
【図４】図４は本発明の中の図１の中の「Ｃ―Ｃ」の拡大構造略図
【図５】図５は本発明の中の図４の中の「Ｄ―Ｄ」方向の構造略図
【図６】図６は本発明の中の図５の中の「Ｅ―Ｅ」方向の構造略図
【発明を実施するための形態】
【００１７】
図１〜６を参照し、本発明の実施例の保健用のインテリジェント頚椎のマッサージ器は、マッサージ枕１０を含み、前記マッサージ枕１０の中にはマッサージチャンバ１１が設置され、前記マッサージチャンバ１１の中には枕パッド１２が固定的に設置され、前記マッサージチャンバ１１の中には前記枕パッド１２の下側に位置する固体ブロック１３がスライドできるように設置され、前記固体ブロック１３の中にはスライドチャンバ１４が設置され、前記マッサージチャンバ１１の下側にはスライド溝１８が連通するように形成されており、前記スライド溝１８の下端壁にはラック２０が固定的に設置され、前記スライド溝１８の中には上端が前記固体ブロック１３と固定的に連結された中空状のスライドブロック１９がスライドできるように設置され、前記スライドブロック１９の前後端面には固定ロッド２９が固定的に設置され、前記マッサージチャンバ１１の外側には揺れ動き切換装置９０１が設置され、前記固定ロッド２９が前記揺れ動き切換装置９０１と回転できるように連結され、前記スライド溝１８の下側には押しチャンバ６９が連通するように設置され、前記押しチャンバ６９の中には回転装置９０２が設置され、前記回転装置９０２が前記ラック２０と噛み合うように連結され、前記回転装置９０２は左右対称になるように設置された二つのマッサージヘッド１７を含み、前記押しチャンバ６９の中には押し板３６がスライドできるように設置され、前記押しチャンバ６９の外側には昇降装置９０３が設置され、前記昇降装置９０３が前記押し板３６と固定的に連結され、且つ前記押し板３６を昇降させることができ、前記押しチャンバ６９の右側には駆動切換装置９０４が設置され、前記駆動切換装置９０４が前記昇降装置９０３と動力が伝達できるように連結され、前記マッサージ枕１０の後端には凹チャンバ５８が設置され、前記凹チャンバ５８の中には頭部支持装置９０５が設置され、前記頭部支持装置９０５が前記駆動切換装置９０４と当接している。
【００１８】
有益なように、前記マッサージヘッド１７の上面は柔軟な材質であり、マッサージの快適さを高める。
【００１９】
有益なように、前記揺れ動き切換装置９０１は前記スライド溝１８と連通している前後対称の回転溝３０を含み、前記回転溝３０の中には揺れ動きロッド３１が回転できるように設置され、前後の前記揺れ動きロッド３１が連結軸３３によって固定的に連結され、前記連結軸３３が前記駆動切換装置９０４とがベルト３４によって動力が伝達できるように連結され、二つの前記回転溝３０の中には移動溝３２が形成されており、前記移動溝３２の中には前記固定ロッド２９と回転できるように連結された移動ブロック３５がスライドできるように設置され、前記揺れ動きロッド３１の回転によって前記マッサージヘッド１７がスライドし、且つ回転してマッサージする。
【００２０】
有益なように、前記移動ブロック３５の鉛直方向の長さは前記移動溝３２の鉛直方向の長さより大きく、それによって前記移動ブロック３５が前記移動溝３２の中でスライドでき、しかも前記移動ブロック３５がスライドして前記移動溝３２を出ることはしない。
【００２１】
有益なように、前記回転装置９０２はスライド筒２１を含み、前記スライド筒２１の上端が前記スライドチャンバ１４の中に伸びており、前記スライド筒２１には前記スライド筒２１を復帰させることができる二つの復帰部品２２が左右対称になるように固定的に設置され、前記スライド筒２１の中には回転チャンバ２３が設置され、前記回転チャンバ２３の中には上端が前記マッサージチャンバ１１の中に伸びている回転軸１５が回転できるように設置され、前記回転軸１５の上端にはコンロッド１６が固定的に設置され、前記マッサージヘッド１７が前記コンロッド１６の上端面に取り付けられ、前記回転軸１５の下端には第一ベベルギヤ２４が固定的に設置され、前記第一ベベルギヤ２４の後端には第二ベベルギヤ２５が噛み合うように連結され、前記スライド筒２１の中には前記回転チャンバ２３と連通し且つ前記回転チャンバ２３を中心に前後対称になるように形成された貫通溝２７が形成されており、前記第二ベベルギヤ２５のスピンドル２６の前端は前記スライドブロック１９の内壁と連結され、且つ前記第二ベベルギヤ２５が前記スライドブロック１９に対して回転でき、前記スピンドル２６の後端には平歯車２８が固定的に設置され、前記平歯車２８が前記ラック２０と噛み合っており、前記スライドブロック１９が揺れ動き、前記ラック２０の作用の下で前記平歯車２８が回転し、前記マッサージヘッド１７に動力を伝達して前記マッサージヘッド１７を回転させる。
【００２２】
有益なように、前記昇降装置９０３は前記押しチャンバ６９と連通している左右対称の開き溝３７を含み、前記開き溝３７の中には前記押し板３６と固定的に連結された連結ブロック３８がスライドできるように設置され、前記連結ブロック３８の上端と前記開き溝３７との間には圧縮ばね３９が固定的に設置され、前記開き溝３７の中には固定軸４１が回転できるように設置され、且つ前記固定軸４１にはカム４０が固定的に設置され、前記カム４０の上端が前記連結ブロック３８と当接しており、左右の前記開き溝３７の間には伝動軸４３が回転できるように設置され、前記伝動軸４３と前記固定軸４１との間がそれぞれタイミングベルト４２によって動力が伝達できるように連結され、前記カム４０が回転して前記連結ブロック３８を押し動かして昇降を繰り返して運動する。
【００２３】
有益なように、前記カム４０の長端が後方へ設置され、それによって初期状態の時、前記押し板３６が前記押しチャンバ６９の下側の極限位置にあり、その後に前記カム４０が回転して前記押し板３６を上昇させた後に下降させ、前記マッサージヘッド１７によって頚椎を揉んでマッサージする。
【００２４】
有益なように、前記駆動切換装置９０４は右側の前記開き溝３７と連通している切換チャンバ４４を含み、右側の前記固定軸４１の右端が前記切換チャンバ４４の中に伸びており、また右側の前記固定軸４１の右端には第三ベベルギヤ４５が固定的に設置され、前記第三ベベルギヤ４５の後端には第四ベベルギヤ４６が前記第三ベベルギヤ４５の後端と噛み合えるように連結され、前記切換チャンバ４４の中には押しブロック４７がスライドできるように設置され、前記押しブロック４７の中には第一モーター４８が固定的に設置され、前記第一モーター４８の前端には前記第四ベベルギヤ４６と固定的に連結された動力軸４９が動力が伝達できるように連結され、前記第一モーター４８の後端にはスプライン軸５０が動力が伝達できるように連結され、前記スプライン軸５０の後端にはプーリ５１がスプラインによって連結され、前記プーリ５１と前記連結軸３３との間が前記ベルト３４によって動力が伝達できるように連結され、前記切換チャンバ４４の下側には連通溝５２が連通するように形成されており、前記連通溝５２の中には上端が前記押しブロック４７と回転できるように連結された回しロッド５３が回転できるように設置され、前記回しロッド５３の後端と前記連通溝５２との間にはトーションばね５４が固定的に設置され、前記連通溝５２と前記凹チャンバ５８との間には圧縮溝５７が連通するように形成されており、前記圧縮溝５７の中には前端が前記回しロッド５３と回転できるように連結された圧力かけロッド５５がスライドできるように設置され、前記圧力かけロッド５５の右端が前記凹チャンバ５８の中に伸びており、且つ前記頭部支持装置９０５と当接しており、前記圧力かけロッド５５の下端面には前記圧力かけロッド５５を復帰させることができる復帰セット５６が固定的に設置され、前記圧力かけロッド５５が移動することによって前記第一モーター４８が前記揺れ動き切換装置９０１と前記昇降装置９０３とを駆動してそれぞれ作動させる。
【００２５】
有益なように、前記頭部支持装置９０５は前記凹チャンバ５８の中に回転できるように設置された回転板５９を含み、前記回転板５９が前記圧力かけロッド５５の右端と当接しており、前記回転板５９の後端には凹溝６０が形成されており、前記凹溝６０の中には平板６１が回転できるように設置され、前記平板６１と前記凹溝６０との間には回転ばね６２が固定的に設置され、前記凹溝６０の前側にはガイド溝６３が形成されており、前記ガイド溝６３の中にはガイドブロック６４がスライドできるように設置され、前記ガイドブロック６４には押しロッド６５が回転できるように設置され、前記凹チャンバ５８の前端壁の中には押し溝６６が連通するように形成されており、前記押しロッド６５の前端が前記押し溝６６の中に伸びており、また前記押しロッド６５の前端には親ねじ６７がねじ山によって連結され、前記押し溝６６前端壁には第二モーター６８が固定的に設置され、前記親ねじ６７の前端が前記第二モーター６８と動力が伝達できるように連結された。
【００２６】
以下、図１〜６をあわせて本出願の保健用のインテリジェント頚椎のマッサージ器の使用ステップについて詳しく説明する：
【００２７】
初期状態の時、スプライン軸５０がプーリ５１とスプラインによって連結され、第四ベベルギヤ４６が第三ベベルギヤ４５と噛み合っていなく、回転板５９が凹チャンバ５８の中に位置しており、復帰セット５６と回転ばね６２とが圧縮状態にある。
【００２８】
マッサージする時、頸部を枕パッド１２に置き、第一モーター４８が作動し、プーリ５１を駆動して回転させ、ベルト３４によって揺れ動きロッド３１が回転し、それによって移動ブロック３５がスライドブロック１９を連動させてスライド溝１８に沿ってスライドさせ、ラック２０の作用の下で平歯車２８が回転し、それによって第二ベベルギヤ２５が第一ベベルギヤ２４を回転連動させ、それによって回転軸１５が回転し、マッサージヘッド１７が回転して頚椎に移動式でマッサージをし、それによってマッサージ範囲は大きくなり、頚椎を叩き式でマッサージする時、第二モーター６８が作動し、親ねじ６７を駆動して回転させ、それによって押しロッド６５が後方へ移動して回転板５９を押し動かして外部空間に回転させ、それによって平板６１は回転ばね６２の作用の下で反時計回り方向（右側面から見る）に回転して水平に置かれる状態を呈し、頭部を平板６１に置き、それによって頚椎に受けた力が減少し、この時に、圧力かけロッド５５が復帰セット５６の作用の下で後方へ移動し、それによって回しロッド５３が反時計回り方向（右側面から見る）に回転し、それによって押しブロック４７が前方へ移動し、第四ベベルギヤ４６が第三ベベルギヤ４５と噛み合い、それによって第一モーター４８が第三ベベルギヤ４５を駆動して回転させ、伝動軸４３とタイミングベルト４２との伝動によって左右のカム４０が同期に回転し、それによって連結ブロック３８が昇降を繰り返して押し板３６を昇降連動させ、スライド筒２１を押し動かして昇降させ、それによってマッサージヘッド１７はスライド筒２１と共に昇降して頚椎を叩いてマッサージする。
【００２９】
マッサージが終わった時、第二モーター６８が反転し、それによって押しロッド６５が回転板５９を前方へ回転連動させ、また回転板５９が凹チャンバ５８の中に位置しており、装置は初期状態に戻る。
【００３０】
本発明の有益な効果は：本発明は構造が簡単で、操作が便利であり、二つのマッサージ方式を持ち、装置は回転してマッサージする時に移動式でマッサージでき、マッサージ範囲は大きくて、叩き式でマッサージする時、頭部を平板に置いてそれによって頚椎をリラックスさせて頚椎に受けた力を減少し、マッサージの快適さを増加し、また装置は小さくて持ちやすく、使用は便利である。
【００３１】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
正面視で上面に枕パッドを有する保健用のインテリジェント頚椎のマッサージ器であって、マッサージ枕を含み、
前記マッサージ枕の中にはマッサージチャンバが設置され、前記マッサージチャンバの中には枕パッドが固定的に設置され、前記マッサージチャンバの中には前記枕パッドの下側に位置する固体ブロックがスライドできるように設置され、前記固体ブロックの中にはスライドチャンバが設置され、
前記マッサージチャンバの下側にはスライド溝が連通するように形成されており、前記スライド溝の下端壁にはラックが固定的に設置され、前記スライド溝の中には上端が前記固体ブロックと固定的に連結された中空状のスライドブロックがスライドできるように設置され、前記スライドブロックの前後端面には固定ロッドが固定的に設置され、
前記マッサージチャンバの外側には揺れ動き切換装置が設置され、前記固定ロッドが前記揺れ動き切換装置と回転できるように連結され、前記スライド溝の下側には押しチャンバが連通するように設置され、前記押しチャンバの中には回転装置が設置され、前記回転装置が前記ラックと噛み合うように連結され、前記回転装置は左右対称になるように設置された二つのマッサージヘッドを含み、前記押しチャンバの中には押し板がスライドできるように設置され、前記押しチャンバの外側には昇降装置が設置され、前記昇降装置が前記押し板と固定的に連結され、且つ前記押し板を昇降させることができ、前記押しチャンバの右側には駆動切換装置が設置され、前記駆動切換装置が前記昇降装置と動力が伝達できるように連結され、
前記マッサージ枕の後端には凹チャンバが設置され、前記凹チャンバの中には頭部支持装置が設置され、前記頭部支持装置が前記駆動切換装置と当接しており、
前記マッサージヘッドの上面は柔軟な材質であり、マッサージの快適さを高め、
前記回転装置はスライド筒を含み、
前記スライド筒の上端が前記スライドチャンバの中に伸びており、前記スライド筒には前記スライド筒を復帰させることができる二つの復帰部品が左右対称になるように固定的に設置され、
前記スライド筒の中には回転チャンバが設置され、前記回転チャンバの中には上端が前記マッサージチャンバの中に伸びている回転軸が回転できるように設置され、前記回転軸の上端にはコンロッドが固定的に設置され、前記マッサージヘッドが前記コンロッドの上端面に取り付けられ、前記回転軸の下端には第一ベベルギヤが固定的に設置され、前記第一ベベルギヤの後端には第二ベベルギヤが噛み合うように連結され、
前記スライド筒の中には前記回転チャンバと連通し且つ前記回転チャンバを中心に前後対称になるように形成された貫通溝が形成されており、前記第二ベベルギヤのスピンドルの前端は前記スライドブロックの内壁と連結され、且つ前記第二ベベルギヤが前記スライドブロックに対して回転でき、前記スピンドルの後端には平歯車が固定的に設置され、前記平歯車が前記ラックと噛み合い、
前記揺れ動き切換装置は前記スライド溝と連通している前後対称の回転溝を含み、
前記回転溝の中には揺れ動きロッドが回転できるように設置され、前後の前記揺れ動きロッドが連結軸によって固定的に連結され、前記連結軸が前記駆動切換装置とがベルトによって動力が伝達できるように連結され、
二つの前記回転溝の中には移動溝が形成されており、前記移動溝の中には前記固定ロッドと回転できるように連結された移動ブロックがスライドできるように設置され、
前記移動ブロックの鉛直方向の長さは前記移動溝の鉛直方向の長さより大きく、
前記昇降装置は前記押しチャンバと連通している左右対称の開き溝を含み、
前記開き溝の中には前記押し板と固定的に連結された連結ブロックがスライドできるように設置され、前記連結ブロックの上端と前記開き溝との間には圧縮ばねが固定的に設置され、
前記開き溝の中には固定軸が回転できるように設置され、且つ前記固定軸にはカムが固定的に設置され、前記カムの上端が前記連結ブロックと当接しており、
左右の前記開き溝の間には伝動軸が回転できるように設置され、前記伝動軸と前記固定軸との間がそれぞれタイミングベルトによって動力が伝達できるように連結され、
前記カムの長端が後方へ設置され、それによって初期状態の時、前記押し板が前記押しチャンバの下側の極限位置にあり、その後に前記カムが回転して前記押し板を上昇させた後に下降させ、前記マッサージヘッドによって頚椎を揉んでマッサージし、
前記駆動切換装置は右側の前記開き溝と連通している切換チャンバを含み、
右側の前記固定軸の右端が前記切換チャンバの中に伸びており、また右側の前記固定軸の右端には第三ベベルギヤが固定的に設置され、前記第三ベベルギヤの後端には第四ベベルギヤが前記第三ベベルギヤの後端と噛み合えるように連結され、
前記切換チャンバの中には押しブロックがスライドできるように設置され、前記押しブロックの中には第一モーターが固定的に設置され、前記第一モーターの前端には前記第四ベベルギヤと固定的に連結された動力軸が動力が伝達できるように連結され、前記第一モーターの後端にはスプライン軸が動力が伝達できるように連結され、前記スプライン軸の後端にはプーリがスプラインによって連結され、前記プーリと前記連結軸との間が前記ベルトによって動力が伝達できるように連結され、
前記切換チャンバの下側には連通溝が連通するように形成されており、前記連通溝の中には上端が前記押しブロックと回転できるように連結された回しロッドが回転できるように設置され、前記回しロッドの後端と前記連通溝との間にはトーションばねが固定的に設置され、前記連通溝と前記凹チャンバとの間には圧縮溝が連通するように形成されており、前記圧縮溝の中には前端が前記回しロッドと回転できるように連結された圧力かけロッドがスライドできるように設置され、前記圧力かけロッドの右端が前記凹チャンバの中に伸びており、且つ前記頭部支持装置と当接しており、前記圧力かけロッドの下端面には前記圧力かけロッドを復帰させることができる復帰セットが固定的に設置され、
前記頭部支持装置は前記凹チャンバの中に回転できるように設置された回転板を含み、
前記回転板が前記圧力かけロッドの右端と当接しており、前記回転板の後端には凹溝が形成されており、前記凹溝の中には平板が回転できるように設置され、前記平板と前記凹溝との間には回転ばねが固定的に設置され、前記凹溝の前側にはガイド溝が形成されており、
前記ガイド溝の中にはガイドブロックがスライドできるように設置され、前記ガイドブロックには押しロッドが回転できるように設置され、前記凹チャンバの前端壁の中には押し溝が連通するように形成されており、前記押しロッドの前端が前記押し溝の中に伸びており、また前記押しロッドの前端には親ねじがねじ山によって連結され、前記押し溝前端壁には第二モーターが固定的に設置され、前記親ねじの前端が前記第二モーターと動力が伝達できるように連結されたことを特徴とする保健用のインテリジェント頚椎のマッサージ器。